(57)【特許請求の範囲】
【請求項１】
監視制御ネットワークを介し監視制御システムと接続する制御基板と、
光回線を介し加入者側光回線終端装置と接続する回線基板とを備え、
前記制御基板は、
前記回線基板の状態情報を保持するメモリと、
前記回線基板から状態変化情報を受信し、前記メモリ内の前記状態情報に前記状態変化情報を反映し、前記監視システムへ前記状態変化情報を通知する状態変化通知を実施し、前記状態変化通知後に前記回線基板へ前記状態変化通知が完了した旨のメッセージを送信する処理装置とを含み、
前記回線基板は、
最終通知状態情報と、最新状態情報と、前記状態変化情報とを保持するメモリと、
前記最終通知状態情報と前記最新状態情報との差分から前記状態変化情報を作成し、前記メッセージの受信後に状態変化情報を前記最終通知状態情報に反映する処理装置とを含む
局側通信装置。
【請求項２】
前記制御基板と同様の前記メモリと前記処理装置とを含む予備系制御基板を備え、
前記制御基板の前記処理装置は、前記メッセージの送信前に前記予備系制御基板の前記メモリに保持する前記回線基板の前記状態情報に前記制御基板の前記メモリに保持する前記回線基板の前記状態情報を反映すること
を特徴とする請求項１記載の局側通信装置。
【請求項３】
監視制御ネットワークを介し監視制御システムと接続し、光回線を介し加入者側光回線終端装置と接続する局側通信装置の状態変化通知方法において、
最終通知状態情報と、最新状態情報を保持する保持ステップと、
最終通知状態情報と最新状態情報から状態変化情報を生成する生成ステップと、
前記監視制御システムへ前記状態変化情報を通知する状態変化通知の完了後に、前記状態変化情報を前記最終通知状態情報に反映する反映ステップとを備える
状態変化通知方法。
【発明の詳細な説明】
【技術分野】
【０００１】
本発明は、光ファイバを介して１つの局側通信装置（ＯＬＴ：Ｏｐｔｉｃａｌ  Ｌｉｎｅ  Ｔｅｒｍｉｎａｌ）と複数の端末側通信装置（ＯＮＵ：Ｏｐｔｉｃａｌ  Ｎｅｔｗｏｒｋ  Ｕｎｉｔ）を接続する光アクセスシステム、特にＰＯＮ（Ｐａｓｓｉｖｅ  Ｏｐｔｉｃａｌ  Ｎｅｔｗｏｒｋ）システムに関するものである。
【背景技術】
【０００２】
監視制御用ネットワークを介して、ＯＳＳ（Ｏｐｅｒａｔｉｏｎｓ  Ｓｕｐｐｏｒｔ  Ｓｙｓｔｅｍｓ）やＮＭＳ（Ｎｅｔｗｏｒｋ  Ｍａｎａｇｅｍｅｎｔ  Ｓｙｓｔｅｍ）などの監視制御システムと接続されるネットワーク装置は、監視制御システムとの監視制御情報の送受信や監視制御システムへの状態変化通知を実施する監視制御盤と、被監視制御盤とで構成される。
【０００３】
状態変化通知は、監視制御盤が被監視制御盤の状態を定期的にポーリングし、変化を検出した場合に変化後の状態情報を監視制御システム宛に通知することで実現することが多い（例えば、特許文献１を参照）。また、ネットワーク装置の信頼性向上のために、監視制御盤を冗長構成とすることがある。予備系の監視制御盤に監視制御情報を蓄積し、冗長切替え時に、予備系（新運用系）に蓄積された未処理の監視制御情報に基づいて処理を実行することがある（例えば、特許文献２を参照）。
【先行技術文献】
【特許文献】
【０００４】
【特許文献１】特開２０１４―１７８８４２
【非特許文献】
【０００５】
【特許文献２】特開２０１０―１３６０３８
【発明の概要】
【発明が解決しようとする課題】
【０００６】
特許文献１では、被監視制御盤に状態履歴テーブルとして、過去の状態変化情報を残しているものの、監視制御盤が監視制御用ネットワークに状態変化情報を通知する前に、読み込み履歴Ｔｒａｐ発行テーブルの最終読み出し位置を更新してしまう。そのため、最終読み出し位置の更新直後に監視制御盤が故障してしまった場合、監視制御盤が冗長構成をとっていたとしても、更新前の最終読み出し位置から更新後の最終読み出し位置までの状態変化情報が監視制御ネットワークへ通知されないとの課題があった。本発明は上記のような課題を解消するためになされたもので、監視制御盤が故障した場合でも、監視制御システムへの状態変化通知を漏れ無く実施可能な局側通信装置を得ることを目的とする。
【課題を解決するための手段】
【０００７】
この発明に係る局側通信装置においては、監視制御ネットワークを介し監視制御システムと接続する制御基板と、光回線を介し加入者側光回線終端装置と接続する回線基板とを備え、制御基板は、回線基板の状態情報を保持するメモリと、回線基板から状態変化情報を受信し、メモリ内の状態情報に状態変化情報を反映し、監視システムへ状態変化情報を通知する状態変化通知を実施し、状態変化通知後に回線基板へ状態変化通知が完了した旨のメッセージを送信する処理装置とを含み、回線基板は、最終通知状態情報と、最新状態情報と、前記状態変化情報とを保持するメモリと、最終通知状態情報と最新状態情報との差分から状態変化情報を作成し、メッセージの受信後に状態変化情報を最終通知状態情報に反映する処理装置とを含む。
【発明の効果】
【０００８】
この発明は、監視制御盤が故障した場合でも、監視制御システムへの状態変化通知を漏れ無く実施可能な局側通信装置を得ることができる。
【図面の簡単な説明】
【０００９】
【図１】この発明の実施の形態１による監視制御用ネットワークを示す構成図である。
【図２】この発明の実施の形態１によるネットワーク装置３を示す構成図である。
【図３】この発明の実施の形態１によるネットワーク装置３が局側通信装置（ＯＬＴ）である場合の構成図である。
【図４】この発明の実施の形態１による状態情報と状態変化情報との関係を示す説明図である。
【図５】この発明の実施の形態１による状態変化通知方法を示すシーケンス図である。
【図６】この発明の実施の形態１による監視制御盤５の状態変化通知方法を示すフロー図である。
【図７】この発明の実施の形態１による被監視制御盤６の状態変化通知方法を示すフロー図である。
【図８】この発明の実施の形態２によるネットワーク装置３を示す構成図である。
【図９】この発明の実施の形態２によるネットワーク装置３が局側通信装置（ＯＬＴ）である場合の構成図である。
【図１０】この発明の実施の形態２による状態変化通知方法を示すシーケンス図である。
【発明を実施するための形態】
【００１０】
実施の形態１．
図１は、この発明の実施の形態１による監視制御用ネットワークを示す構成図である。図１において、監視制御システム１は、監視制御用ネットワーク２を介してネットワーク装置３と接続される。監視制御システム１は、監視制御の対象とするネットワーク装置３と監視制御情報の送受信が可能であり、複数の監視制御システム１から同一のネットワーク装置３に対して監視制御情報の送受信も可能である。ネットワーク装置３は状態変化通知の宛先として監視制御システム１を設定でき、登録した監視制御システム１宛に状態変化情報を送信する状態変化通知を実施し、送信先は複数の監視制御システム１を設定可能である。
【００１１】
図２は、この発明の実施の形態１によるネットワーク装置３を示す構成図である。ネットワーク装置３はシェルフとも呼ばれる筐体４を有しており、監視制御盤５、被監視制御盤６を筐体４に実装することで監視制御盤５と１つ以上の被監視制御盤６が接続される。監視制御盤５はＯＳＳポート７を具備しており、ＯＳＳポート７を介して監視制御用ネットワーク２に接続される。また、監視制御盤５は監視制御盤５の制御や状態変化通知に関する処理を行う処理装置８、情報を記憶するメモリ９、被監視制御盤６との情報の送受信を行う送受信装置１０を具備する。
被監視制御盤６は、被監視制御盤６の制御や状態情報に関する処理を行う処理装置１１、情報を記憶するメモリ１２、監視制御盤５との情報の送受信を行う送受信装置１３を具備する。
【００１２】
図３は、この発明の実施の形態１によるネットワーク装置３が局側通信装置（ＯＬＴ）である場合の構成図である。局側通信装置は、ネットワーク装置３の一例である。ＯＬＴ１４は、図１のネットワーク装置３に相当し、制御基板１５、回線基板１６を実装している。制御基板１５は、図２の監視制御盤５に相当し、回線基板１６は、図２の被監視制御盤６に相当する。例えば、筐体に実装する形で制御基板１５と１つ以上の回線基板１６が接続される。制御基板１５はＯＳＳポート１７を具備しており、ＯＳＳポート１７を介して監視制御用ネットワーク２に接続される。また、制御基板１５は制御基板１５の制御や状態変化通知に関する処理を行う処理装置１８、情報を記憶するメモリ１９、回線基板１６との情報の送受信を行う送受信装置２０を具備する。
回線基板１６は、加入者側光回線終端装置である各ＯＮＵ２１と光回線２２（例えばＥｔｈｅｒｎｅｔ（登録商標））で接続される。回線基板１６は、光回線２２を終端するとともに、光送受信装置２３を具備し、光回線２２を介して接続されたＯＮＵ２１と情報の送受信を行う。回線基板１６は、回線基板１６の制御や状態情報に関する処理を行う処理装置２４、情報を記憶するメモリ２５、制御基板１５との情報の送受信を行う送受信装置２６を具備する。各回線基盤１６に接続されるＯＮＵ２１を２つとして例を示しているが、これは一例に過ぎず、１つであってもよいし、３つ以上であってもよい。
【００１３】
図４は、この発明の実施の形態１による状態情報と状態変化情報との関係を示す説明図である。例えば、被監視制御盤６内に監視制御システム１へ通知が必要な状態が＃１〜＃ｎまで存在した場合を説明する。被監視制御盤６は、最終通知状態情報、最新状態情報、状態変化情報をメモリ１２へ保持する。
【００１４】
処理装置１１が状態変化を検出する度に対応する最新状態情報の各状態情報が更新される。状態変化の検出方法は、例えば処理装置１１が被監視制御盤６内の各部の状態を周期的にポーリングする方法や、各部が周期的に状態を処理装置１１へ報告する方法や、状態が変化した際に処理装置１１へ報告する方法などがある。例えば、最新状態情報として、状態＃１の状態情報として「２」、状態＃２の状態情報として「１」、状態＃３の状態情報として「２」、状態＃４の状態情報として「２」、状態＃５の状態情報として「４」、状態＃６の状態情報として「３」、状態＃ｎの状態情報として「１」が保持されているとする。
【００１５】
監視制御盤５が監視制御システム１へ状態変化通知を完了した状態情報を最終通知状態情報へ保持する。例えば、最終通知状態情報として、状態＃１の状態情報として「１」、状態＃２の状態情報として「１」、状態＃３の状態情報として「２」、状態＃４の状態情報として「２」、状態＃５の状態情報として「３」、状態＃６の状態情報として「３」、状態＃ｎの状態情報として「０」が保持されているとする。
【００１６】
処理装置１１は、最終通知状態情報と、最新状態情報とを比較して差分があれば、該当の状態の最新状態情報を状態変化情報へコピーする。本例示では、状態＃１と状態＃５と状態＃ｎが差分ありと判断され、状態変化情報として状態＃１の状態情報として「２」、状態＃５の状態情報として「４」、状態＃ｎの状態情報として「１」がコピーされる。被監視制御盤６の状態変化情報は、監視制御盤５を経由して監視制御システム１へ状態変化通知として送信される。状態変化情報を差分がある状態のみで構成することで、被監視制御盤６と監視制御盤５、ネットワーク装置３と監視制御システム１との間の通信データ量の削減との効果を得ることができる。
【００１７】
監視制御盤５が監視制御システム１へ状態変化通知を完了したことを確認後、最終通知状態情報に状態変化情報を反映する（コピーする）。反映後の最終通知状態情報は、状態＃１の状態情報として「２」、状態＃２の状態情報として「１」、状態＃３の状態情報として「２」、状態＃４の状態情報として「２」、状態＃５の状態情報として「４」、状態＃６の状態情報として「３」、状態＃ｎの状態情報として「１」となる（図示省略）。監視制御盤５が監視制御システム１へ状態変化通知を完了したことを確認後に、最終通知状態情報を更新することで、監視制御システムへの状態変化通知を漏れ無く実施可能となる。
【００１８】
次に動作について説明する。  図５は、この発明の実施の形態１による状態変化通知方法を示すシーケンス図である。
ステップＳＴ２０１にて、監視制御盤５の処理装置８は、送受信装置１０を介してポーリング周期毎に被監視制御盤６へ状態収集要求メッセージを送信する。状態収集要求メッセージは、監視制御盤５が被監視制御盤６へ状態変化通知を要求するメッセージである。監視制御盤５が状態変化情報を得る他の方法としては、例えば被監視制御盤６が周期的に監視制御盤５へ通知する方法や、被監視制御盤６が状態変化を検出した際に監視制御盤５へ通知する方法などがある。
【００１９】
ステップＳＴ２０２にて、状態収集要求メッセージ２０１を受信した被監視制御盤６の処理装置１１は、送受信装置１３を介して監視制御盤５へ状態変化通知メッセージを送信する。
ステップＳＴ２０３にて、状態変化通知メッセージにて状態変化情報を受信した監視制御盤５は、メモリ９に保持する該当の被監視制御盤６の状態情報に対して、受信した状態変化情報を反映する。
状態変化通知メッセージ２０２の送信と状態変化情報の反映は状態変化情報のエントリ数分ループ処理される。状態変化通知メッセージを送信する他の方法としては、状態変化情報のエントリ数まとめて１回のメッセージとして通知する。メッセージ送信回数を削減できるとの効果を得ることができる。
【００２０】
ループ処理が完了すると、ステップＳＴ２０４にて、被監視制御盤６の処理装置１１は、送受信装置１３を介して状態収集応答メッセージを監視制御盤５に送信する。
ステップＳＴ２０５にて、状態収集応答メッセージを受信した監視制御盤５の処理装置８は、ＯＳＳポート７を介して監視制御システム１へ状態変化通知を送信する。状態変化通知の他の方法としては、状態変化情報のエントリの数だけ実施しても良い。
【００２１】
ステップＳＴ２０６にて、監視制御システム１に状態変化通知を完了した監視制御盤５の処理装置８は、送受信装置１０を介して被監視制御盤６に状態変化通知応答メッセージを送信する。状態変化通知応答メッセージにより、被監視制御盤６は、監視制御盤５が監視制御システム１への状態変化通知を完了したことを知ることが可能となる。
ステップＳＴ２０７にて、状態変化通知応答メッセージを受信した被監視制御盤６は、状態変化情報が監視制御システム１に送信されたものと判断し、メモリ１２内の状態変化情報を最終通知状態情報に反映する。監視制御システム１へ状態変化通知の完了後に、最終通知状態情報を更新することとなり、監視制御システムへの状態変化通知を漏れ無く実施可能となる。
一連の処理（ステップＳＴ２０１〜ステップＳＴ２０７）を、被監視制御盤６の数（ｎ）だけ繰り返し実施することで、監視制御盤５は、全ての被監視制御盤６の状態変化情報を監視制御システム１へ通知することができる。
【００２２】
この発明の実施の形態１によるネットワーク装置３が局側通信装置（ＯＬＴ）である場合の状態変化通知方法を図５を用いて説明する。
ステップＳＴ２０１にて、制御基板１５の処理装置１８は、送受信装置２０を介してポーリング周期毎に回線基板１６へ状態収集要求メッセージを送信する。状態収集要求メッセージは、制御基板１５が回線基板１６へ状態変化通知を要求するメッセージである。制御基板１５が状態変化情報を得る他の方法としては、例えば回線基板１６が周期的に制御基板１５へ通知する方法や、回線基板１６が状態変化を検出した際に制御基板１５へ通知する方法などがある。
【００２３】
ステップＳＴ２０２にて、状態収集要求メッセージ２０１を受信した回線基板１６の処理装置２４は、送受信装置２６を介して制御基板１５へ状態変化通知メッセージを送信する。
ステップＳＴ２０３にて、状態変化通知メッセージにて状態変化情報を受信した制御基板１５は、メモリ１９に保持する該当の回線基板１６の状態情報に対して、受信した状態変化情報を反映する。
状態変化通知メッセージ２０２の送信と状態変化情報の反映は状態変化情報のエントリ数分ループ処理される。
状態変化通知メッセージを送信する他の方法としては、状態変化情報のエントリ数まとめて１回のメッセージとして通知する。メッセージ送信回数を削減できるとの効果を得ることができる。
【００２４】
ループ処理が完了すると、ステップＳＴ２０４にて、回線基板１６の処理装置２４は、送受信装置２６を介して状態収集応答メッセージを制御基板１５に送信する。
ステップＳＴ２０５にて、状態収集応答メッセージを受信した制御基板１５の処理装置１８は、ＯＳＳポート１７を介して監視制御システム１へ状態変化通知を送信する。状態変化通知の他の方法としては、状態変化情報のエントリの数だけ実施しても良い。
【００２５】
ステップＳＴ２０６にて、監視制御システム１に状態変化通知を完了した制御基板１５の処理装置１８は、送受信装置２０を介して回線基板１６に状態変化通知応答メッセージを送信する。状態変化通知応答メッセージにより、回線基板１６は、制御基板１５が監視制御システム１への状態変化通知を完了したことを知ることが可能となる。
ステップＳＴ２０７にて、状態変化通知応答メッセージを受信した回線基板１６は、状態変化情報が監視制御システム１に送信されたものと判断し、メモリ２５内の状態変化情報を最終通知状態情報に反映する。監視制御システム１へ状態変化通知の完了後に、最終通知状態情報を更新することとなり、監視制御システムへの状態変化通知を漏れ無く実施可能となる。
一連の処理（ステップＳＴ２０１〜ステップＳＴ２０７）を、回線基板１６の数（ｎ）だけ繰り返し実施することで、制御基板１５は、全ての回線基板１６の状態変化情報を監視制御システム１へ通知することができる。
【００２６】
図６は、この発明の実施の形態１による監視制御盤５の状態変化通知方法を示すフロー図である。
ステップＳＴ３０１にて、処理装置８は、被監視制御盤６の状態情報を収集するポーリング周期であるか否かの判断を実施する。ポーリング周期であると判断した場合、ステップＳＴ３０２へ移行する。ポーリング周期でないと判断した場合、ステップＳＴ３０１の判断を繰り返す。
ステップＳＴ３０２にて、処理装置８は、送受信装置１０を介してポーリング周期毎に被監視制御盤６へ状態収集要求メッセージを送信する。
【００２７】
ステップＳＴ３０３にて、処理装置８は、被監視制御盤６の数だけループ処理を開始する。
ステップＳＴ３０４にて、処理装置８は、被監視制御盤６より状態収集応答メッセージを受信したか否かの判断を実施する。受信したと判断した場合、ステップＳＴ３０７へ移行する。受信していないと判断した場合、ステップＳＴ３０５へ移行する。
ステップＳＴ３０５にて、処理装置８は、被監視制御盤６より状態変化通知メッセージを受信したか否かの判断を実施する。受信したと判断した場合、ステップＳＴ３０６へ移行する。受信していないと判断した場合、ステップＳＴ３０４の判断を繰り返す。
ステップＳＴ３０６にて、処理装置８は、メモリ９に保持する該当の被監視制御盤６の状態情報に対して、状態変化通知メッセージにて受信した状態変化情報を反映し、ステップＳＴ３０４の判断に戻る。
【００２８】
ステップＳＴ３０７にて、処理装置８は、監視制御システム１へ状態変化通知を送信する。
ステップＳＴ３０８にて、監視制御システム１に状態変化通知を完了した処理装置８は、被監視制御盤７に状態変化通知応答メッセージを送信する。状態変化通知応答メッセージにより、被監視制御盤７は、監視制御盤５が監視制御システム１への状態変化通知を完了したことを知ることが可能となる。
【００２９】
図７は、この発明の実施の形態１による被監視制御盤６の状態変化通知方法を示すフロー図である。
ステップＳＴ４０１にて、処理装置１１は、監視制御システム１へ通知が必要な状態情報を収集するポーリング周期であるか否かの判断を実施する。ポーリング周期であると判断した場合、ステップＳＴ４０２へ移行する。ポーリング周期でないと判断した場合、ステップＳＴ４０１の判断を繰り返す。
ステップＳＴ４０２にて、処理装置１１は、監視制御システム１へ通知が必要な状態情報にて状態変化を検出したか否かの判断を実施する。状態変化を検出したと判断した場合、ステップＳＴ４０３へ移行する。状態変化を検出していないと判断した場合、ステップＳＴ４０４へ移行する。
ステップＳＴ４０３にて、処理装置１１は、メモリ１２に保持する該当状態情報の最新状態情報を更新する。
【００３０】
ステップＳＴ４０４にて、処理装置１１は、監視制御盤５より状態収集要求メッセージを受信したか否かの判断を実施する。受信したと判断した場合、ステップＳＴ４０５へ移行する。受信していないと判断した場合、ステップＳＴ４０１の判断を繰り返す。
ステップＳＴ４０５にて、処理装置１１は、メモリ１２に保持する状態変化情報を更新する。最終通知状態情報と、最新状態情報とを比較して差分があれば、該当の状態変化情報に最新状態情報を反映する（コピーする）。
【００３１】
ステップＳＴ４０６にて、処理装置１１は、状態変化情報を更新した状態情報の数（エントリ数）だけループ処理を開始する。
ステップＳＴ４０７にて、処理装置１１は、監視制御盤５へ状態変化通知を送信する。図７では、状態変化通知を状態変化情報のエントリの数だけ実施する場合について図示しているが、状態変化情報のエントリ数まとめて１回実施しても良い。
【００３２】
ステップＳＴ４０８にて、処理装置１１は、監視制御盤５へ状態収集応答メッセージを送信する。
ステップＳＴ４０９にて、処理装置１１は、監視制御盤５より状態変化通知応答メッセージを受信したか否かの判断を実施する。受信したと判断した場合、ステップＳＴ４１０へ移行する。受信していないと判断した場合、ステップＳＴ４０９の判断を繰り返す。状態変化通知応答メッセージにより、被監視制御盤７は、監視制御盤５が監視制御システム１への状態変化通知を完了したことを知ることが可能となる。
ステップＳＴ４１０にて、処理装置１１は、メモリ１２に保持する最終通知状態情報に状態変化情報を反映する（コピーする）。言い換えれば、被監視制御盤６は状態変化通知応答メッセージを受信するまで、最終通知状態情報に状態変化情報を反映しない。監視制御盤５が監視制御システム１へ状態変化通知の完了確認後に、最終通知状態情報を更新することで、監視制御システムへの状態変化通知を漏れ無く実施可能となる。
【００３３】
以上説明したように、監視制御システムへの状態変化通知を漏れ無く実施可能となる。例えば、図５のステップＳＴ２０４の被監視制御盤６が監視制御盤５へ状態収集応答メッセージを送信後、監視制御盤５が監視制御用システム１へ状態変化を通知する前に、監視制御盤５が故障した場合、監視制御用システム１への状態変化通知が完了していないので、監視制御盤５から被監視制御盤６への状態変化通知応答メッセージの送信が実行されない。よって、被監視制御盤６のメモリ１２内の最終通知状態情報が更新されない。その後、監視制御盤５が復旧、あるいは交換した場合、再び図５のステップＳＴ２０１から処理が実施される。被監視制御盤６のメモリ１２内の最終通知状態情報が更新されていないので、最終通知状態情報と最新状態情報の差分は残ったままになっており、被監視制御盤６は故障前に監視制御盤５へ送信した状態変化通知メッセージ２０２を再度監視制御盤５に送信することができ、状態変化情報は監視制御用システム１へ漏れ無く通知することが可能となる。
【００３４】
ネットワーク装置３が局側通信装置（ＯＬＴ）である場合、特に回線基板１６に故障が発生した際、配下のＯＮＵ２１に接続したユーザがサービスを享受できなくなるため、監視制御システム１が状態変化通知を元にＯＮＵの故障を検知し、ＯＮＵの復旧作業が重要となる。しかし、監視制御用システム１への状態変化通知が漏れた場合、監視制御システム１がＯＮＵの故障を検知できず、ユーザ自身からの申告がなければ、ＯＮＵの故障に気づくことなく、ユーザにサービスを提供できない状態が続いてしまう。よって、状態変化通知を漏れ無く実施することは、光アクセスシステムにおいて、特に重要である。
【００３５】
実施の形態２．
この発明の実施の形態２による監視制御用ネットワークは、実施の形態１と同様であるので、説明は省略する。
図８は、この発明の実施の形態２によるネットワーク装置３を示す構成図である。図８において図２と同一の符号は、同一または相当するものであるので、説明は省略する。実施の形態２では、実施の形態１のネットワーク装置３に対して、監視制御盤５を複数（監視制御盤５−１、監視制御盤５−２）とする冗長構成をとる。監視制御盤５−１と監視制御盤５−２、１つ以上の被監視制御盤６を筐体４に実装することで監視制御盤５−１と監視制御盤５−２、１つ以上の被監視制御盤６が接続される。例えば、監視制御盤５−１を運用系とし、監視制御盤５−２を予備系とする。各監視制御盤５の構成は、実施の形態１と同様であるので説明を省略する。
【００３６】
図９は、この発明の実施の形態２によるネットワーク装置３が局側通信装置（ＯＬＴ）である場合の構成図である。図９において図３と同一の符号は、同一または相当するものであるので、説明は省略する。局側通信装置は、ネットワーク装置３の一例である。実施の形態２では、実施の形態１の制御基板１５に対して、制御基板１５を複数（制御基板１５−１、制御基板１５−２）とする冗長構成をとる。例えば、制御基板１５−１を運用系とし、制御基板１５−２を予備系とする。各制御基板１５の構成は、実施の形態１と同様であるので説明を省略する。
【００３７】
この発明の実施の形態２による状態情報と状態変化情報との関係は、実施の形態１と同様であるので、説明は省略する。
次に動作について説明する。
図１０は、この発明の実施の形態２による状態変化通知方法を示すシーケンス図である。図１０において図５と同一のステップは、同一または相当するものであるので、説明は省略する。
ステップＳＴ５０１にて、状態収集応答メッセージを受信した運用系である監視制御盤５−１（＃１）の処理装置８−１は、予備系である監視制御盤５−２（＃２）の処理装置８−２と被監視制御盤６の状態情報を同期させる。同期とは、予備系である監視制御盤５−２（＃２）のメモリ９−２に保持する被監視制御盤６の状態情報に運用系である監視制御盤５−１（＃１）のメモリ９−１に保持する被監視制御盤６の状態情報を反映する（コピーする）。
【００３８】
ステップＳＴ２０５の監視制御システム１へ状態変化通知を送信する前に、運用系である監視制御盤５−１（＃１）の処理装置８−１は、予備系である監視制御盤５−２（＃２）の処理装置８−２と被監視制御盤６の状態情報を同期させる。あるいは、ステップＳＴ２０５の監視制御システム１へ状態変化通知を送信の後であって、被監視制御盤６に状態変化通知応答メッセージを送信する前に、運用系である監視制御盤５−１（＃１）の処理装置８−１は、予備系である監視制御盤５−２（＃２）の処理装置８−２と被監視制御盤の状態情報を同期させる（図示省略）。
状態変化通知応答メッセージの受信により、被監視制御盤６が、メモリ１２内の状態変化情報を最終通知状態情報に反映する。よって、監視制御システムへの状態変化通知を漏れ無く実施可能となるとともに、運用系である監視制御盤５−１（＃１）の処理装置８−１と、予備系である監視制御盤５−２（＃２）の処理装置８−２での被監視制御盤の状態情報の同期処理を漏れなく実行可能となる。
【００３９】
この発明の実施の形態１によるネットワーク装置３が局側通信装置（ＯＬＴ）である場合の状態変化通知方法を図１０を用いて説明する。
ステップＳＴ５０１にて、状態収集応答メッセージを受信した運用系である制御基板１５−１（＃１）の処理装置１８−１は、予備系である制御基板１５−２（＃２）の処理装置１８−２と回線基盤１６の状態情報を同期させる。同期とは、予備系である制御基板１５−２（＃２）のメモリ１９−２に保持する回線基板１６の状態情報に運用系である制御基板１５−１（＃１）のメモリ１９−１に保持する回線基板１６の状態情報を反映する（コピーする）
【００４０】
。
ステップＳＴ２０５の監視制御システム１へ状態変化通知を送信する前に、運用系である制御基板１５−１（＃１）の処理装置１８−１は、予備系である制御基板１５−２（＃２）の処理装置１８−２と回線基盤１６の状態情報を同期させる。あるいは、ステップＳＴ２０５の監視制御システム１へ状態変化通知を送信の後であって、回線基盤１６に状態変化通知応答メッセージを送信する前に、運用系である制御基板１５−１（＃１）の処理装置８−１は、予備系である制御基板１５−２（＃２）の処理装置８−２と回線基盤１６の状態情報を同期させる（図示省略）。
状態変化通知応答メッセージの受信により、回線基盤１６が、メモリ２５内の状態変化情報を最終通知状態情報に反映する。よって、監視制御システムへの状態変化通知を漏れ無く実施可能となるとともに、運用系である制御基板１５−１（＃１）の処理装置１８−１と、予備系である制御基板１５−２（＃２）の処理装置１８−２での回線基盤１６の状態情報の同期処理を漏れなく実行可能となる。
【００４１】
この発明の実施の形態２による監視制御盤５の状態変化通知方法は、実施の形態１（図６）と同様であるので、説明は省略する。
この発明の実施の形態２による被監視制御盤６の状態変化通知方法は、実施の形態１（図７）と同様であるので、説明は省略する。
【００４２】
例えば、図１０のステップＳＴ２０４の被監視制御盤６が運用系である監視制御盤５−１（＃１）へ状態収集応答メッセージを送信後、運用系である監視制御盤５−１（＃１）が監視制御用システム１へ状態変化を通知する前に、運用系である監視制御盤５−１（＃１）が故障した場合、監視制御用システム１への状態変化通知が完了していないので、運用系である監視制御盤５−１（＃１）から被監視制御盤６への状態変化通知応答メッセージの送信が実行されない。よって、被監視制御盤６のメモリ１２内の最終通知状態情報が更新されない。その後、運用系である監視制御盤５−１（＃１）を予備系である監視制御盤５−２（＃２）へ交換した場合、再び図１０のステップＳＴ２０１から処理が実施される。被監視制御盤６のメモリ１２内の最終通知状態情報が更新されていないので、最終通知状態情報と最新状態情報の差分は残ったままになっており、被監視制御盤６は故障前の監視制御盤５−１へ送信した状態変化通知メッセージ２０２を再度監視制御盤５−２に送信することができ、状態変化情報は監視制御用システム１へ漏れ無く通知することが可能となる。
【符号の説明】
【００４３】
１５  制御基板、１６  回線基板、１８  処理装置、１９  メモリ、２４  処理装置、２５  メモリ
【図１】
0006604182.tif 000002
【図２】
0006604182.tif 000003
【図３】
0006604182.tif 000004
【図４】
0006604182.tif 000005
【図５】
0006604182.tif 000006
【図６】
0006604182.tif 000007
【図７】
0006604182.tif 000008
【図８】
0006604182.tif 000009
【図９】
0006604182.tif 000010
【図１０】
0006604182.tif 000011